(57)【要約】【課題】一枚のディスクが異なる種類の媒体を持つハイブリッドディスクについて、光ディスク装置へ装着後に、異なる媒体の記録層を移動する場合、どの層がどの媒体であるかという情報を光ディスクのＤＩなどに記録するという課題がある。【解決手段】光ディスクのＢＣＡやＰＩＣなどのＤＩにあるディスク識別子やディスク構造を変えることで、ハイブリッドディスクの詳細な情報をＤＩに格納する。【選択図】  図３
2011070709.tif 000002
【特許請求の範囲】
【請求項１】
データ領域と、記録媒体の特徴を示すディスク識別情報およびディスク構造情報を記録する管理情報領域と、を備え、複数の媒体種類の記録層を持つ光ディスクであって、
前記ディスク識別情報と前記ディスク構造情報は、前記光ディスクの持つ記録層の媒体種類を示す情報と、前記光ディスクの全記録層数を示す情報と、各媒体種類の記録層の数を示す情報とを含むことを特徴とする光ディスク。
【請求項２】
請求項１に記載の光ディスクであって、
前記光ディスクは各媒体種類に対応する管理情報領域を備え、
ある媒体種類に対応する管理情報領域に含まれるディスク識別情報は、前記光ディスク内の全ての媒体種類と、当該媒体種類の記録層の数を示す情報を含むことを特徴とする光ディスク。
【請求項３】
請求項１に記載の光ディスクであって、
前記ディスク識別情報は、３つのアスキーコードからなることを特徴とする光ディスク。
【請求項４】
請求項３に記載の光ディスクであって、前記３つのアスキーコードのうち、２つが前記光ディスクの持つ媒体種類を示し、１つが全記録層数を示すことを特徴とする光ディスク。
【請求項５】
請求項３に記載の光ディスクであって、前記３つのアスキーコードのうち少なくとも１つは２つ以上の媒体種類の組み合わせを示すことを特徴とする光ディスク。
【請求項６】
請求項３に記載の光ディスクであって、
前記光ディスクは各媒体種類に対応する管理情報領域を備え、
ある媒体種類に対応する管理情報領域において、前記３つのアスキーコードのうち、１つが当該媒体種類の記録層の数を示し、２つが前記光ディスクの持つ媒体種類を示すことを特徴とする光ディスク。
【請求項７】
請求項３に記載の光ディスクであって、
前記光ディスクは各媒体種類に対応する管理情報領域を備え、
ある媒体種類に対応する管理情報領域において、前記３つのアスキーコードのうち、１つが前記光ディスクの持つ全媒体種類と配置関係の情報を示し、１つが前記ある媒体種類の記録層の前記光ディスクにおける配置を示すことを特徴とする光ディスク。
【請求項８】
データ領域と、記録媒体の特徴を示すディスク識別情報およびディスク構造情報を記録する管理情報領域と、を備え、複数の媒体種類の記録層を持つ光ディスクであって、
前記ディスク識別情報と前記ディスク構造情報は、前記光ディスクの持つ記録層の媒体種類を示す情報と、前記光ディスクの全記録層数を示す情報と、各媒体種類の記録層の数を示す情報と、媒体の配置関係を示す情報とを含むことを特徴とする光ディスク。
【請求項９】
請求項８に記載の光ディスクであって、
前記光ディスクは各媒体種類に対応する管理情報領域を備え、
ある媒体種類に対応する管理情報領域におけるディスク識別情報は、当該ある媒体種類の記録層の数を示す情報と、前記ある媒体種類の記録層の光ディスクにおける配置を示す情報と、前記光ディスクにおける全ての媒体種類を示す情報と、含むことを特徴とする光ディスク。
【請求項１０】
請求項８に記載の光ディスクであって、
前記ディスク識別情報は、３つのアスキーコードからなることを特徴とする光ディスク。
【請求項１１】
請求項１０に記載の光ディスクであって、
前記光ディスクは各媒体種類に対応する管理情報領域を備え、
ある媒体種類に対応する管理情報領域において、
前記３つのアスキーコードのうち、２つが前記光ディスクの持つ媒体種類を示し、１つが全記録層の数を示すことを特徴とする光ディスク。
【請求項１２】
請求項１０に記載の光ディスクであって、
前記光ディスクは各媒体種類に対応する管理情報領域を備え、
ある媒体種類に対応する管理情報領域において、前記３つのアスキーコードのうち１つは２つ以上の媒体種類の組み合わせを示すことを特徴とする光ディスク。
【請求項１３】
請求項１０に記載の光ディスクであって、
前記光ディスクは各媒体種類に対応する管理情報領域を備え、
ある媒体種類に対応する管理情報領域において、前記３つのアスキーコードのうち、２つが前記光ディスクの持つ媒体種類を示し、１つが前記ある媒体種類の記録層の数を示すことを特徴とする光ディスク。
【請求項１４】
請求項１０に記載の光ディスクであって、
前記光ディスクは各媒体種類に対応する管理情報領域を備え、
ある媒体種類に対応する管理情報領域において、前記３つのアスキーコードのうち、１つが前記光ディスクの持つ全媒体種類と配置関係の情報を示し、１つが前記ある媒体種類の記録層の前記光ディスクにおける配置を示すことを特徴とする光ディスク。
【請求項１５】
請求項１０に記載の光ディスクであって、
前記光ディスクは各媒体種類に対応する管理情報領域を備え、
ある媒体種類に対応する管理情報領域において、前記３つのアスキーコードのうち、１つが前記媒体の記録層数の情報を示し、残る２つのうち少なくとも１つが前記光ディスクの持つ媒体種類の情報を示すことを特徴とする光ディスク。
【請求項１６】
レーザ光を用いて、光ディスクから情報を再生する、もしくは、光ディスクに情報を記録する光ディスク装置であって、
レーザ光を発光する発光部と、
レーザ光を集光させる対物レンズと、
前記対物レンズを駆動するアクチュエータと、
光ディスクからの反射光を検出する検出部と、
を備え、
前記光ディスクが複数の媒体種類の記録層を持つ光ディスクであるとき、光ディスク装着後のローディング処理において、前記光ディスクのディスク情報を読み込んだ後、前記複数の媒体種類の記録層のうち、最適なレーザパワーが最も小さい媒体種類に対応するレーザパワーで、ローディング処理を継続することを特徴とする光ディスク装置。
【請求項１７】
レーザ光を用いて、複数の媒体種類の記録層を有する光ディスクから情報を再生する再生方法であって、
前記光ディスクに記録される前記ディスク識別情報または、前記ディスク構造情報とから、前記光ディスクの持つ記録層の媒体種類を示す情報と、前記光ディスクの全記録層数を示す情報と、各媒体種類の記録層の数を示す情報とを取得するステップと、
情報を再生するステップとを含むことを特徴とする再生方法。
【請求項１８】
レーザ光を用いて、複数の媒体種類の記録層を有する光ディスクに情報を記録する記録方法であって、
前記光ディスクに記録される前記ディスク識別情報または、前記ディスク構造情報とから、前記光ディスクの持つ記録層の媒体種類を示す情報と、前記光ディスクの全記録層数を示す情報と、各媒体種類の記録層の数を示す情報とを取得するステップと、
情報を記録するステップとを含むことを特徴とする記録方法。
【発明の詳細な説明】
【技術分野】
【０００１】
本発明は、光ディスク、光ディスク装置、再生方法及び記録方法に関する。
【背景技術】
【０００２】
ＤＶＤとＢＤ（Ｂｌｕ−ｒａｙ  Ｄｉｓｃ）の両方の再生層を持つ、ハイブリッドディスクが発売されている。これらは、光ディスク装置に装着された後、どちらか片方の媒体として判別される。どちらに判別するかは光ディスク装置によって異なるが、一旦判別されたら、以降、光ディスク装置を制御する制御装置から媒体切り替え命令が発行されるまで、選択された方の媒体としてのみ動作し続ける。
【０００３】
また、光ディスクには、ディスクの媒体種類の情報が記録されている。特許文献１では、ＰＩＣという領域にＤＩ（ディスク情報）を記録し、そこに媒体種類とクラス、バージョンを定義するということが述べられている。
【先行技術文献】
【特許文献】
【０００４】
【特許文献１】特表２００８−５０８６５８
【発明の概要】
【発明が解決しようとする課題】
【０００５】
１枚のディスクが、異なる媒体種類の記録層を持ち、光ディスク装置挿入後に、異なる媒体種類の記録層を移動する場合、どの層がどの種類の媒体であるかという情報を光ディスクのＤＩなどに記録するという課題がある。また、その情報を基に、光スポットが今どの層にフォーカスしているのかなどを光ディスク装置が判断するという課題がある。
【０００６】
この課題は、特に光ディスクが多層化すればするほど重要な問題となる。
【０００７】
また、光スポットを記録層間移動するフォーカスジャンプにおいて、到達後の記録層が目的の種類の層かを判別するという課題がある。
【０００８】
本発明の目的は、例えば、光ディスクが複数種類の異なる層を有している場合に、該光ディスクの層構成を判別可能な光ディスクまたは光ディスク装置を提供することである。
【課題を解決するための手段】
【０００９】
上記の目的は、例えば、特許請求の範囲に記載の構成によって達成される。また、上記の目的は、例えば、以下の手段によっても達成される。すなわち、複数の媒体種類の記録層を持つ光ディスクにおいて、全ての記録層のうち少なくとも１つの層に個々の媒体種類の記録層数と該光ディスクの全記録層数をディスク情報として記録しておく。
【発明の効果】
【００１０】
本発明によると、例えば、光ディスクが複数種類の異なる層を有している場合に、該光ディスクの層構成を判別可能な光ディスクまたは光ディスク装置を提供することが可能となる。
【図面の簡単な説明】
【００１１】
【図１】ディスク識別子とディスク構造の例を示す図（実施例１）
【図２】光ディスクの記録層の例を示す図（実施例１）
【図３】ディスク識別子とディスク構造の例を示す図（実施例１）
【図４】ディスク識別子とディスク構造の例を示す図（実施例２）
【図５】光ディスクの記録層の例を示す図（実施例３）
【図６】ディスク識別子とディスク構造の例を示す図（実施例３）
【図７】ディスク識別子とディスク構造の例を示す図（実施例４）
【図８】ディスク識別子とディスク構造の例を示す図（実施例５）
【図９】ディスク識別子とディスク構造の例を示す図（実施例６）
【図１０】光ディスク装置の構成例を示すブロック図（実施例８）
【図１１】記録処理または再生処理の例を示すフローチャート（実施例８）
【図１２】光ディスクの記録層の例を示す図（実施例３）
【図１３】ディスク識別子とディスク構造の例を示す図（実施例７）
【図１４】光ディスクの記録層の例を示す図（実施例７）
【発明を実施するための形態】
【００１２】
以下、図面を用いて実施例について説明する。
【実施例１】
【００１３】
ＤＩ（ディスク情報：Ｄｉｓｃ  Ｉｎｆｏｒｍａｔｉｏｎ）は、光ディスクの記録および再生動作のために使用される様々な情報を示す。一般的に、ディスク情報は、光ディスクの製造業者または作成者によってレーザカッティングされたＢＣＡ（Ｂｕｒｓｔ  Ｃｕｔｔｉｎｇ  Ａｒｅａ）と呼ばれる領域のある光ディスクの既定の部分にあらかじめ記録されるか、ＰＩＣ（不変情報＆制御データ: Ｐｅｒｍａｎｅｎｔ  Ｉｎｆｏｒｍａｔｉｏｎ  ＆  Ｃｏｎｔｒｏｌ  ｄａｔａ）領域、または記録トラックのウォブル形状内に含まれる。
【００１４】
ディスク情報には、少なくともディスク識別子（Ｄｉｓｃ  Ｌａｙｅｒ  Ｔｙｐｅ  ｉｄｅｎｔｉｆｉｅｒ）とディスク構造（ＢＤ  ｓｔｒｕｃｔｕｒｅ）が含まれる。ディスク識別子は、３バイトのアスキーコードからなり、当該ディスク構造を記録している層における媒体種類を表す。また、ディスク構造は、記録層の層数とその記録層の特徴を表す。なお、本明細書においては、ディスク識別子は、ディスク識別情報と言い換えてもよい。また、本明細書においては、ディスク構造は、ディスク構造情報と言い換えてもよい。また、本明細書において、記録層とは、ユーザデータの追記または書き換え可能な記録可能層のみならず、媒体の製造時に既にユーザデータ等が記録され、追記等が不可能な層である再生専用層も含むものとする。また、例えば、記録層とは、カバー層以外の層を示す。また、例えば、記録層とは、スペーサ層以外の層を示す。
【００１５】
図１に、１層のＢＤ−ＲＥ（ＲＥｗｒｉｔａｂｌｅ）と２層のＢＤ−ＲＯＭ（ＲｅａｄＯｎｌｙ  Ｍｅｍｏｒｙ）の場合についてディスク識別子とディスク構造がどのようになっているかを示す。１層のＢＤ−ＲＥの場合、ディスク識別子に記録されている“ＢＤＷ”で、ＢＤ−ＲＥであることを示し、ディスク構造に記録されている“ＳＬ／ＲＥ”で、記録層の数が１層を意味するＳＬ（シングルレイヤー）かつその記録層がＲＥであることを表している。２層のＢＤ−ＲＯＭの場合、ディスク識別子に記録されている“ＢＤＯ”で、ＢＤ−ＲＯＭであることを示し、ディスク構造に記録されている“ＤＬ／ＲＯＭ”で、記録層の数が２層を意味するＤＬ（ダブルレイヤー）かつその記録層がＲＯＭであることを表している。これらのＤＩ情報は、ＰＩＣやＢＣＡ共に同じ情報として記録される。
【００１６】
しかし、例えば、このＤＩ情報からでは、１枚の光ディスクが複数の種類の媒体の層を有する場合、光ディスクにどの種類の媒体の層が含まれており、また、それぞれの種類の媒体の層が何層ずつあり、全部で何層あるのかを表すことができない。
【００１７】
そこで、本実施例では、光ディスクのディスク識別子とディスク構造に記録する情報の形式を新しくすることによって上記の問題を解決する。
【００１８】
本実施例では、ＢＤで複数の媒体を持つ光ディスクを考える。ＢＤには、再生専用のＢＤ−ＲＯＭ、１つのトラックに対し、１回記録できるＢＤ−Ｒ、１つのトラックに繰り返し記録できるＢＤ−ＲＥがあり、これらの中から少なくとも２つ以上の媒体種類の記録層が１つの光ディスク内にある場合を考える。ここで、媒体種類とは、例えば、その記録層が再生専用層であるか、追記や書き換え可能な記録層といった特徴を示す。また、媒体種類とは、例えば、その記録層がＢＤ相当の記録密度を有するか、ＤＶＤ相当の記録密度を有するかといった特徴を示す。また、媒体種類とは、例えば、その記録層が２３ＧＢのＢＤ相当の記録密度を有するか、２３ＧＢより大きい記録密度を有するかといった特徴を示す。また、媒体種類とは、例えば、その記録層が、追記や可能な記録層であるか、書き換え可能な記録層といった特徴を示す。
【００１９】
また、当該例示した構成でなくとも、第１種類の層を少なくとも１層以上有し、前記第１種類とは異なる第２種類の層を１層以上有する光ディスクであればよい。例えば、第１の種類の層がＤＶＤ層であり、第２の種類の層がＢＤ層である等、記録密度の異なる複数の備える光ディスクであってもよい。また、第１の種類の層が再生しか行えない再生専用層であり、第２の種類の層が情報の追記または書き換え可能な記録可能層であってもよい。また、ユーザデータ領域の物理規格の異なる複数種類の層を持つ光ディスクであってもよい。
【００２０】
ここで、図２にＢＤ−ＲＥの記録層を１つ、ＢＤ−ＲＯＭの記録層を２つ持つ光ディスク１００を示す。これは図の下側からレーザを照射することによって、情報を記録および再生できる光ディスク１００であり、表面に対して遠い側から、ＢＤ−ＲＥ、ＢＤ−ＲＯＭ、ＢＤ−ＲＯＭという記録層の構成となっている。
【００２１】
ＢＣＡは、一番奥の記録層であるＢＤ−ＲＥにのみ記録されており、ＰＩＣはそれぞれの媒体の記録層のうち少なくとも１つの記録層に記録されているものとする。また、ＰＩＣのＤＩは、記録層の記録トラックのウォブル内にも含まれるものとする。
【００２２】
また、各記録層は、ユーザデータが記録されているか、あるいは、ユーザデータを記録可能なユーザデータ領域を備える。
【００２３】
次に、図３に本実施例のディスク識別子とディスク構造を示す。
【００２４】
ディスク識別子は、ＢＤ−ＲＥのＰＩＣのディスク識別子を“ＷＯ１”とする。“Ｗ”はＢＤ−ＲＥを表し、“Ｏ”はＢＤ−ＲＯＭを表し、“１”は当該媒体のＢＤ−ＲＥの全記録層数が１層であることを表す。この規則に従い、ＢＤ−ＲＯＭのＰＩＣのディスク識別子を“ＷＯ２”とする。一方、ＢＣＡのディスク識別子は、“ＷＯ３”とする。“３”は、当該光ディスク１００の全層数を表す。なお、この“３”は、ＴＬ（トリプルレイヤー）の“Ｔ”などにしてもよい。同様に、“１”は“Ｓ”、“２”は“Ｄ”など、他に定義したアスキーコードに置き換えてもよい。
【００２５】
つまり、本光ディスク１００においては、ある記録層のディスク識別子に、当該層の媒体種類が何であるかを示す情報と、他にどの媒体種類の記録層があるかを示す情報と、当該媒体の記録層数を示す情報が記録される。
【００２６】
また、ＢＣＡにおけるディスク識別子には、光ディスク１００がどの媒体種類の記録層を含むかを示す情報と、各媒体種類の記録層の層数の和を示す情報が記録される。
【００２７】
ディスク構造もＰＩＣとＢＣＡで異なる。ＰＩＣのディスク構造を、ＢＤ−ＲＥの記録層のＰＩＣでは“ＴＬ／ＲＥ”とし、ＢＤ−ＲＯＭの記録層のＰＩＣでは“ＴＬ／ＲＯＭ”とする。一方、ＢＣＡのディスク構造を“ＴＬ／ＲＥ＋ＲＯＭ”とする。ＰＩＣの情報は、当該光ディスク１００の全記録層数と当該媒体の種類を表し、ＢＣＡの情報は当該光ディスク１００の全記録層数と全媒体の種別を表す。例えば、ＢＣＡディスク構造は、全層数は３層であるので、ＴＬ（トリプルレイヤー）とし、ＲＥとＲＯＭの両方の媒体を持つことを表す。
【００２８】
つまり、本光ディスク１００においては、ある記録層のＰＩＣに含まれるディスク構造に、当該層の媒体種類が何であるかを示す情報と、当該光ディスク１００が持つ記録層が全部で何層あるかを示す情報が記録される。また、本光ディスク１００においては、ＢＣＡに含まれるディスク構造に、光ディスク１００の全記録層の層数の和を示す情報と、当該光ディスク１００にどの媒体種類の記録層が含まれるかを示す情報が記録される。
【００２９】
また、ＢＣＡにおけるディスク構造には、光ディスク１００がどの媒体種類の記録層を含むかを示す情報と、各媒体種類の記録層の層数の和を示す情報が記録される。
【００３０】
これにより、光ディスク装置は、ＢＣＡまたはＰＩＣを読むことによって挿入された光ディスク１００の全構成を知ることができる。また、ＢＣＡやＰＩＣのいずれかが傷や汚れによって再生できない場合でも、どれか１つを読むことができれば、該ディスクの全構成を知ることができる。
【００３１】
ここで、図２の光ディスク１００では、ＢＣＡを一番奥の記録層にのみ記録するとしたが、それぞれの媒体の記録層に少なくとも１つのＢＣＡが記録されている場合は、ＰＩＣと同じ情報をＢＣＡのＤＩに記録してもよい。
【実施例２】
【００３２】
実施例１では、表面に対して遠い側から、ＢＤ−ＲＥ、ＢＤ−ＲＯＭ、ＢＤ−ＲＯＭという記録層の構成となっている光ディスク１００について述べた。
【００３３】
本実施例では、表面に対して遠い側から、ＢＤ−ＲＯＭ、ＢＤ−ＲＥ、ＢＤ−ＲＥという記録層の構成となっている光ディスク１００について述べる。
【００３４】
図４に本実施例のディスク識別子とディスク構造を示す。
【００３５】
本実施例の光ディスク１００では、各媒体種類の記録層の光ディスク１００内での層厚方向における位置において、ディスク識別子に記録される情報の配置順が異なる。
【００３６】
ディスク識別子は、ＢＤ−ＲＯＭのＰＩＣのディスク識別子を“ＯＷ１”とする。“Ｏ”はＢＤ−ＲＯＭを表し、“Ｗ”はＢＤ−ＲＥを表し、“１”は当該媒体のＢＤ−ＲＯＭの記録層数が１層であることを表す。この規則に従い、ＢＤ−ＲＥのＰＩＣのディスク識別子を“ＯＷ２”とする。一方、ＢＣＡのディスク識別子は、“ＯＷ３”とする。“３”は、当該光ディスク１００の全層数を表す。“Ｗ”はＢＤ−ＲＥを表し、“Ｏ”はＢＤ−ＲＯＭし、“３”は該光ディスク１００の全記録層数が３層であることを表すのは実施例１と同じだが、“Ｗ”と“Ｏ”の順序が異なる。
【００３７】
このように、各媒体種類に対応するアスキーコードを、表面に対して奥の記録層から順に表すことにより、該光ディスク１００の特徴をより詳細に伝えることができる。なお、ここでいう表面に対して奥の記録層とは、光ディスク１００を、光ディスク装置に設置した場合に、光ピックアップから最も遠くに位置する記録層の事を示す。
【００３８】
また、上記の例においては、ディスク表面に対してある媒体種類の記録層が奥に位置するほど、ディスク識別子においてより上位バイトに媒体種類を示すバイトが割り当てられる構成を示している。しかし、これに限定されるものでは無く、ディスク表面に対してある種類の媒体の記録層が手前に位置するほど、ディスク識別子における上位のバイトが割り当てられる構成としてもよい。
【００３９】
なお、ディスク構造については、例えば、実施例１と同じである。ＰＩＣのディスク構造を、ＢＤ−ＲＥの記録層のＰＩＣでは“ＴＬ／ＲＥ”とし、ＢＤ−ＲＯＭの記録層のＰＩＣでは“ＴＬ／ＲＯＭ”とする。一方、ＢＣＡのディスク構造を“ＴＬ／ＲＥ＋ＲＯＭ”とする。ＰＩＣの情報は、当該光ディスク１００の全記録層数と当該媒体の種類を表し、ＢＣＡの情報は当該光ディスク１００の全記録層数と全媒体の種別を表す。
【実施例３】
【００４０】
本実施例では、図５で示す光ディスク１００´に対し、実施例１および実施例２とは異なるディスク識別子とディスク構造を適用した例を示す。図５の光ディスク１００´は、表面に対して遠い側から、ＢＤ−Ｒ、ＢＤ−ＲＥ、ＢＤ−ＲＥ、ＢＤ−ＲＯＭという記録層の構成となっている
図６に本実施例のディスク識別子とディスク構造を示す。
【００４１】
本実施例のディスク識別子は、ＰＩＣとＢＣＡで異なる。
【００４２】
ＰＩＣのディスク識別子は、ＢＤ−Ｒの記録層のＰＩＣでは“ＲＸ１”とする。また、ＢＤ−ＲＥの記録層のＰＩＣでは、ディスク識別子は“ＲＸ２”とする。また、ＢＤ−ＲＯＭの記録層のＰＩＣでは、ディスク識別子は“ＲＸ１”とする。また、ＢＣＡでは、ディスク識別子は“ＲＸ４”とする。ＰＩＣのディスク識別子は、それぞれの媒体の配置と当該媒体の記録層数を表す。より具体的に示すと、ディスク識別子の最上位バイトである第１バイトはディスク表面から最奥に配置された記録層の種類を示す。また、ディスク識別子の第２バイトは他の記録層の種類の配置を示す。また、ＢＣＡのディスク識別子は該光ディスク１００´の媒体配置と全記録層数を表す。上記の場合、例えば、ＢＤ−ＲのＰＩＣのディスク識別子では、“Ｒ”はＢＤ−Ｒを表し、“Ｘ”はＢＤ−Ｒ媒体の次にはディスク表面に近づくに従ってＢＤ−ＲＥ、ＢＤ−ＲＯMの順番で媒体が配置されていることを表し、“１”は当該媒体であるＢＤ−Ｒの記録層数を表す。ＢＣＡのディスク識別子の場合は、“Ｒ”はディスク表面から最奥にＢＤ−Ｒ媒体が配置されていることを表し、“Ｘ”はＢＤ−Ｒ媒体の次にはディスク表面に近づくに従ってＢＤ−ＲＥ、ＢＤ−ＲＯMの順番で媒体が配置されていることを表し、“４”は当該ディスクの全記録層数が４層であることを表す。なお、この“４”は、ＱＬ（クアッドレイヤー）を表す“Ｑ”などにしてもよい。
【００４３】
つまり、ＰＩＣにおいては、当該記録層のディスク識別子には、当該光ディスク１００´の最奥に配置された媒体の種類および他の種類の媒体の配置を示す情報と、当該媒体の記録層数を示す情報が記録される。
【００４４】
また、ＢＣＡにおいては、ディスク識別子には、当該光ディスク１００´の媒体種類とその配置を示す情報と、全記録層の層数が記録される。
【００４５】
一方、ディスク構造は、ＰＩＣにおいては、ＢＤ−Ｒの記録層のＰＩＣでは“ＱＬ／Ｒ”とし、ＢＤ−ＲＥの記録層のＰＩＣでは“ＱＬ／ＲＥ”とし、ＢＤ−ＲＯＭの記録層のＰＩＣでは“ＱＬ／ＲＯＭ”とする。一方、ＢＣＡのディスク構造を“ＱＬ／Ｒ＋ＲＥ＋ＲＯＭ”とする。ＰＩＣの情報は、当該光ディスク１００´の全記録層数と当該媒体の種類を表し、ＢＣＡの情報は当該光ディスク１００´の全記録層数と全媒体の種別を表す。例えば、ＢＣＡディスク構造は、全層数は４層であるので、ＱＬとし、ＲとＲＥとＲＯＭの媒体を持つことを表す。
【００４６】
つまり、ディスク構造においては、全記録層の層数を示す情報と、各記録層の媒体種類を示す情報とが記録される。
【００４７】
ここで、ディスク構造で、ＲＥ＋ＲＯＭを表す方法としては、１バイトの情報の中で３ビットがそれぞれＲＯＭ、Ｒ、ＲＥを表すとし、その中で１となっているビットの媒体が該光ディスク１００´の記録層としてある、という方法などが考えられる。
【００４８】
本実施例では、ディスク識別子のコード中の１バイトに２つの媒体の種類と配置を定義することで、媒体の数が３つ以上となっても対応できる。
【００４９】
本実施例では、第２バイトである“Ｘ”にＢＤ−ＲＥ、ＢＤ−ＲＯＭという媒体と配置を定義し、光ディスク１００´の表面に対して、奥から２つ目と３つ目の媒体に対して割り当てた例を示した。この他、例えば、ＢＤ−Ｒの記録層のＰＩＣでは、ディスク識別子を“ＲＹ１”のように第２バイトを変更することで、奥から２つ目と３つ目の媒体がＢＤ−ＲＯＭ、ＢＤ−ＲＥであることを示す構成としてもよい。これにより、例えば図１２に示す光ディスク１００´´のように、２つ目と３つ目の媒体の種類が図５に示した光ディスク１００´とは逆になった場合でも対応できる。この場合、２つ目、３つ目の媒体はＢＤ−ＲＯＭ、ＢＤ−ＲＥとなり、両媒体のＰＩＣにおけるディスク識別子は“ＲＹ２”、“ＲＹ１”とすればよい。また、“ＸＲ１”などのように奥から１つ目と２つ目の媒体に対して第１バイトを用いて定義してもよく、様々なパターンに対応できる。
【実施例４】
【００５０】
本実施例では、図５で示す光ディスク１００´に対し、実施例３とは異なるディスク識別子とディスク構造を示す。
【００５１】
図７に本実施例のディスク識別子とディスク構造を示す。
【００５２】
ディスク識別子は、ＢＣＡとＰＩＣ共に“ＲＸ４”とする。第１バイトである“Ｒ”はデディスク表面から最奥にＢＤ−Ｒが配置されていることを表し、“Ｘ”はＢＤ−Ｒ媒体の次にはディスク表面に近づくに従ってＢＤ−ＲＥ、ＢＤ−ＲＯＭの順番で媒体が配置されていることを表し、“４”は該光ディスク１００´の全記録層数が４層であることを表す。なお、この“４”は、ＱＬの“Ｑ”などにしてもよい。
【００５３】
つまり、ディスク識別子には、当該光ディスク１００´の全ての媒体種類およびその配置順を示す情報と、全記録層の総数を示す情報が記録される。また、複数の媒体種類の組み合わせに対応する１バイトのアスキーコードがディスク識別子に記録される。
【００５４】
一方、ディスク構造はＰＩＣとＢＣＡで異なる。このうち、ＰＩＣのディスク構造を、ＢＤ−Ｒの記録層のＰＩＣでは“ＳＬ／Ｒ”とし、ＢＤ−ＲＥの記録層のＰＩＣでは“ＤＬ／ＲＥ”とし、ＢＤ−ＲＯＭの記録層のＰＩＣでは“ＳＬ／ＲＯＭ”とする。一方、ＢＣＡのディスク構造を“ＱＬ／Ｒ＋ＲＥ＋ＲＯＭ”とする。ＰＩＣの情報は、それぞれの媒体の記録層数と媒体種類を表し、ＢＣＡの情報は全記録層数と全媒体の種別を表す。例えば、ＢＣＡでは、全層数は４層であるので、ＱＬとし、ＲとＲＥとＲＯＭの３つの媒体を持つことを表す。
【００５５】
つまり、本光ディスク１００´においては、ある記録層のＰＩＣに含まれるディスク構造に、当該層の媒体種類が何であるかを示す情報と、同じ媒体種類を持つ記録層が何層あるかを示す情報が記録される。
【００５６】
また、本光ディスク１００´においては、ＢＣＡに含まれるディスク構造に、光ディスク１００´の全記録層の層数の和を示す情報と、当該光ディスク１００´にどの媒体種類の記録層が含まれるかを示す情報が記録される。
【００５７】
これにより、光ディスク装置は、ＢＣＡまたはＰＩＣを読むことによって挿入された光ディスク１００´の全構成を知ることができる。また、ＢＣＡまたはＰＩＣのいずれかが傷や汚れによって再生できない場合でも、どれか１つを読むことができれば、該ディスクの全構成を知ることができる。
【００５８】
なお、上記の例では、上記ディスク識別子の第２バイト“Ｘ”では、第２番目と第３番目の媒体がＢＤ−ＲＥとＢＤ−ＲＯＭであることを定義していた。しかし、本発明は、これに限られるものでは無く、例えば、第２バイトを“Ｙ”として第２番目と第３番目の媒体がＢＤ−ＲＯＭとＢＤ−ＲＥであることを定義するなど、様々な場合を含む。
【００５９】
また、本実施例では、“Ｘ”にＢＤ−ＲＥ、ＢＤ−ＲＯＭという媒体を定義し、光ディスク１００´の表面に対して、奥から２つ目と３つ目の媒体に対して用いた。しかし、これに限られるものでは無く、“ＸＲ１”などのように奥から１つ目と２つ目の媒体の定義を組み合わせて用いてもよい。
【００６０】
さらに、上記の例においては、ディスク識別子の第２バイト“Ｘ”が、ＢＤ−ＲＥとＢＤ−ＲＯＭとの組み合わせに対応する情報であると説明した。しかし、ディスク識別子はこの例に限られるものでは無く、１バイトのアスキーコードによって、複数の媒体種類の組み合わせと、その配置順を示してもよい。例えば、文字“Ｘ”が、光ディスク１００´が奥側からＢＤ−ＲＯＭとＢＤ−ＲＥとを有することを示すこととしてもよい。また、例えば、文字“Ｚ”が光ディスク１００´の奥側からＢＤ−ＲＥとＢＤ−ＲＯＭとを有することを示してもよい。これによって、ディスク識別子から検出できる情報の量をさらに増大させることが可能となる。
【００６１】
また、上記の例においては、ディスク表面に対してある記録層が奥に位置するほど、媒体種類を表す文字ないし情報を割り当てるバイトをより上位のバイトとしている。しかし、本光ディスクは、これに限られるものでは無く、ディスク表面に対してある記録層が奥に位置するほど、媒体種類を表す文字ないし情報を割り当てるバイトをより下位のバイトとしてもよい。
【００６２】
また、組み合わせを示すアスキーコードは２種類の媒体種類の組み合わせを示すだけでなく、３種以上の媒体種類の組み合わせを定義してもよい。また、“ＸＹ２”などのように、組み合わせを定義したコードを２つ用いて表してもよい。これにより、光ディスク１００´の持つ媒体の種類や配置をより多く表すことができる。
【００６３】
本実施例では、実施例３と異なり、ＰＩＣのディスク情報において、ディスク識別子には当該光ディスク１００´全般の情報、ディスク構造には当該媒体の情報と役割が分かれている。
【実施例５】
【００６４】
本実施例では、図５で示す光ディスク１００´に対するディスク識別子とディスク構造を示す。
【００６５】
図８に本実施例のディスク識別子とディスク構造を示す。
【００６６】
ディスク識別子は、ＰＩＣとＢＣＡで異なり、ＰＩＣのディスク構造を、ＢＤ−Ｒの記録層のＰＩＣでは“Ｋ１Ｑ”とし、ＢＤ−ＲＥの記録層のＰＩＣでは“Ｋ２Ｑ”とし、ＢＤ−ＲＯＭの記録層のＰＩＣでは“Ｋ３Ｑ”とし、ＢＣＡのディスク構造を“ＢＫＱ”とする。ここで、ＰＩＣのディスク識別子において、最上位バイトである第１バイトの“Ｋ”は、光ディスク１００´の最奥からＢＤ−Ｒ、ＢＤ−ＲＥ、ＢＤ−ＲＯＭの順番で媒体が配置されていることを表す。 また、例えば、ＢＤ−Ｒの場合、第２バイトの“１”は奥から１番目に配置されている媒体であること表し、“Ｑ”は当該光ディスク１００´の全記録層数を表す。
【００６７】
このように、本実施例においては、各記録層におけるディスク識別子中、１バイトのアスキーコードが、光ディスク１００´が備える媒体種類の組み合わせ及び配置順序を示す。また、１バイトのアスキーコードが、前記配置順序の中で何番目に配置される媒体種類であるかを示す。
【００６８】
また、ＢＣＡのディスク識別子においても、第１バイトの“Ｋ”はＰＩＣと同様の意味を表し、“Ｑ”もＰＩＣと同様の意味を表す。ＰＩＣでは、当該光ディスク１００´の構成を１つ目のコードから読み取り、その定義から当該媒体の種類を示すことができ、全記録層数を読み取ることができる。
【００６９】
また、本実施例の他、ディスク識別子に含まれる１バイトのアスキーコードが、媒体種類の組み合わせ、配置順序、前記配置順序の中で何番目に配置される媒体種類であるかを示すものとしてもよい。例えば、“Ｌ”が、光ディスク１００´が奥側から順にＢＤ−Ｒ、ＢＤ−ＲＥ、ＢＤ−ＲＯＭを有することを示し、さらに、“Ｌ”が、“Ｌ”を記録している記録層が、前記順序の中で1番目の記録層（ＢＤ−Ｒ層）であることを示す構成としてもよい。また、例えば、“Ｍ”が、光ディスク１００´が奥側から順にＢＤ−Ｒ、ＢＤ−ＲＥ、ＢＤ−ＲＯＭを有することを示す。さらに、“Ｍ”が、“Ｍ”を記録している記録層が、前記順序の中で２番目の記録層（ＢＤ−ＲＥ層）であることを示す構成としてもよい。このような構成によって、ディスク識別子にさらに多くの情報を記録させることが可能となる。
【００７０】
ディスク構造は、実施例４と同じである。
【００７１】
ディスク識別子の３つのアスキーコードは、配置を入れ替えてもよい。
【００７２】
本実施例の方法を用いれば、ディスク識別子により多くの情報をもたせることができる。
【実施例６】
【００７３】
本実施例では、図５で示す光ディスク１００´に対するディスク識別子とディスク構造を示す。
【００７４】
図９に本実施例のディスク識別子とディスク構造を示す。
【００７５】
ディスク識別子は、ＰＩＣとＢＣＡで異なり、ＢＤ−Ｒの記録層のＰＩＣでは“Ｋ１Ｓ”とし、ＢＤ−ＲＥの記録層のＰＩＣでは“Ｋ２Ｄ”とし、ＢＤ−ＲＯＭの記録層のＰＩＣでは“Ｋ３Ｓ”とし、ＢＣＡのディスク構造を“ＢＫＱ”とする。ＰＩＣの情報は、最上位バイトである第１バイト “Ｋ”は、光ディスク１００´の最奥からＢＤ−Ｒ、ＢＤ−ＲＥ、ＢＤ−ＲＯＭの順番で媒体が配置されていることを表す。またＢＤ−Ｒの情報識別子における第２バイトの“１”は当該媒体が奥から１番目の配置であること表し、“Ｓ”は当該媒体の記録層数を表す。ＢＣＡの識別子において、第１バイトの“Ｋ”はＰＩＣと同様の意味を表し、“Ｑ”は、当該光ディスク１００´の全記録層数を表す。ＰＩＣのディスク識別子は、当該光ディスク１００´の媒体構成を１つ目のコードで示し、その定義から当該媒体の種類を読み取ることができ、さらに、その記録層数をも示す。
【００７６】
ディスク構造は、ＰＩＣとＢＣＡ共に、“ＱＬ／Ｒ＋ＲＥ＋ＲＯＭ”とし、“ＱＬ”は当該光ディスク１００´の全記録層数である４層を表し、“Ｒ＋ＲＥ＋ＲＯＭ”は当該光ディスク１００´の持つ媒体の全種類を表す。
【実施例７】
【００７７】
本実施例では、図５で示す光ディスク１００´に対するディスク識別子とディスク構造を示す。
【００７８】
図１３に本実施例のディスク識別子とディスク構造を示す。
【００７９】
ＰＩＣのディスク識別子においては、ＢＤ−Ｒの記録層のＰＩＣでは“ＢＲＳ”とする。これは、“Ｒ”で、ＢＤ−Ｒであることを表し、“Ｓ”で当該媒体の記録層が１層であることを表す。同様に、ＢＤ−ＲＥの記録層のＰＩＣでは“ＢＷＤ”とし、ＢＤ−ＲＯＭの記録層のＰＩＣでは“ＢＯＳ”とする。
【００８０】
ＢＣＡのディスク識別子においては、“ＢＤＨ”とし、当該光ディスク１００´がハイブリッドディスクであることを表す。
【００８１】
つまり、ＰＩＣの情報は、それぞれの媒体の種類と記録層数を表し、ＢＣＡの情報は該光ディスク１００´がハイブリッドディスクであることを表す。上記の場合、“Ｗ”はＢＤ−ＲＥを表し、“Ｏ”はＢＤ−ＲＯＭを表し、“Ｈ”はハイブリッドディスクであることを表す。“Ｓ”や“Ｄ”などのコードは当該媒体の記録層数が１層や２層であることを表すが、層数そのものを表す“１”や“２”などにしてもよい。また、“Ｂ”はＢＤのＢとしているが、特にこれにこだわる必要はない。
【００８２】
つまり、ＰＩＣにおいては、ある記録層のディスク識別子には、当該記録層の媒体種類を示す情報と、その層数を示す情報が記録される。
【００８３】
また、ＢＣＡにおいては、ディスク識別子には、複数の媒体種類の記録層を含むハイブリッドディスクであることを示す情報が記録される。
【００８４】
一方、ディスク構造は、ＢＣＡとＰＩＣ共に“ＴＬ／Ｒ＋ＲＥ＋ＲＯＭ”とする。“ＴＬ”は該光ディスク１００´の全記録層数が３層であることを表し、“Ｒ＋ＲＥ＋ＲＯＭ”は該光ディスク１００´の記録層がＢＤ−ＲとＢＤ−ＲＥとＢＤ−ＲＯＭとの組み合わせであることを表す。
【００８５】
つまり、ディスク構造においては、全記録層の層数を示す情報と、当該光ディスク１００´の持つ媒体種類を示す情報とが記録される。
【００８６】
ここで、ディスク構造で、Ｒ＋ＲＥ＋ＲＯＭを表す方法としては、１バイトの情報の中で３ビットがそれぞれＲＯＭ、Ｒ、ＲＥを表すとし、その中で１となっているビットの媒体が該光ディスク１００´の記録層としてある、という方法などが考えられる。
【００８７】
上記のように、実施例１ないし７にて、ある媒体種類の記録層に対応するディスク識別子やディスク構造は、当該ある媒体種類の記録層に記録されるものとして説明した。しかし、本実施例の光ディスクはこれに限られるものではない。例えば、本光ディスクは、ある媒体種類の記録層に対応するディスク識別子やディスク構造が、他の媒体種類の記録層に記録されていてもよい。例えば、ＢＤ−Ｒ層の内容に対応するディスク識別子やディスク構造が、ＢＤ−ＲＥ層のＰＩＣやウォブルに記録されていてもよい。また、光ディスクは、１つの記録層に対応するディスク情報を１組のディスク情報とした上で、所定の記録層に複数組のディスク情報を記録する構成としてもよい。
【００８８】
図１４の光ディスク１００´´´を用いて具体的に示す。ＢＣＡ領域にはＢＣＡのディスク情報が入っており、ＰＩＣ領域ＡにはＢＤ−ＲＥのディスク情報が入っており、ＰＩＣ領域ＢとＰＩＣ領域ＣにはＢＤ−ＲＯＭのディスク情報が入っており、ＰＩＣ領域ＤにはＢＤ−Ｒのディスク情報が入っている。ここで、ＰＩＣ領域Ａに、ＢＤ−ＲＯＭとＢＤ−Ｒのディスク情報も入っていた場合、ＰＩＣ領域Ａには、当該光ディスク１００´´´の全ての記録層の種類および記録層の数の情報が記録されていることになり、光ディスク装置はＰＩＣ領域Ａの情報を読み取るだけで、光ディスク１００´´´の全ての記録層の種類および記録層の数を読み取ることが可能となる。
【００８９】
複数のディスク情報を持つのは、ＰＩＣ領域Ａだけに限らなくてもよい。また、ＢＣＡのディスク情報を追加してもよい。
【００９０】
光ディスクがこのような構成である場合、光ディスク装置は、所定の層から、複数組のディスク情報を取得することが可能となる。さらに、光ディスク装置は、複数組のディスク情報より、当該光ディスクの全ての記録層構成を読み取ることができる。具体的には、光ディスク装置が光ディスクの全ての記録層の種類および記録層の数を読み取ることが可能となる。
【実施例８】
【００９１】
上述した各実施例では、光ディスク１００及び１００´、１００´´、１００´´´の構造について説明してきた。本実施例においては、上記した光ディスク１００及び１００´、１００´´、１００´´´に対して、記録または再生を行う光ディスク装置について説明する。光ディスク装置は、情報の記録を行う場合でも再生を行う場合においても、所定の記録層にアクセスする必要がある。そして、本実施例の光ディスク装置は、上記実施例の１乃至７のいずれかに記載された、ディスク識別子またはディスク構造または記録層情報を取得することにより光ディスク１００へのアクセス動作を行う。また、本実施例の光ディスク装置は、光ディスク１００の装着時のセットアップ処理において、ディスク識別子またはディスク構造を取得する。ここで、セットアップ処理とは、光ディスク１００へのユーザデータの再生又は、ユーザデータの記録を可能とするための各種調整処理のことである。また、セットアップ処理とは、ディスクロード処理、ローディング処理と言い換えてもよい。また、以下の説明は光ディスク１００を例に説明しているが、光ディスク１００´、１００´´、１００´´´でも同様であることはいうまでもない。
【００９２】
図１０は、本実施例の光ディスク装置の構成を示すブロック図である。
【００９３】
光ディスク１００は、２つ以上の媒体種類をもつ光ディスクであり、光ピックアップ１１０からのレーザ光の照射により情報の読み取り、消去、書き込みが行われるとともに、システム制御手段１２０からのスピンドルモータ駆動信号を受けたスピンドルモータ駆動手段１２１で駆動するスピンドルモータ１０１によって回転される。
【００９４】
レーザ光源１１１から発光されたレーザ光は、アクチュエータ１１２によって動かされる対物レンズ１１３で光ディスク１００の情報記録面に光スポットとして集光され、光ディスク１００の情報記録面で反射し、光検出器１１４で検出される。
【００９５】
光検出器１１４で検出された信号から信号生成手段１２２で、光ディスク１００に記録されている情報の再生信号やサーボ制御用誤差信号が生成される。
【００９６】
信号生成手段１２２で生成された再生信号から、システム制御手段１２０内の情報再生手段によって、光ディスク１００の情報の再生を行う。また、システム制御手段１２０内の情報記録手段によって、光ディスク１００の記録可能領域へデータの記録を行う。
【００９７】
また、図示しないが、光ピックアップ１１０には他にも収差補正や偏光を行うための素子などが搭載されている。
【００９８】
アクチュエータ１１２は、システム制御手段１２０から出力される駆動信号を受けた、アクチュエータ駆動手段１２３によって駆動され、対物レンズ１１３を、光ディスク１００の略フォーカス方向および略半径方向に動かす。
【００９９】
また、レーザ光源１１１はシステム制御手段１２０から信号を受けたレーザ駆動手段１２４によって、レーザパワーが設定される。
【０１００】
本実施例の光ディスク装置は、光ディスク１００を装着後、ＢＣＡにより、装着された光ディスク１００が２つ以上の媒体種類の記録層をもつ光ディスクであると判別した後、光ディスク１００の持つ媒体の種類のうち、最適なレーザパワーが最も小さいものに合わせたパワーを設定する。
【０１０１】
図１１のフローチャートを用いて、上記の光ディスク装置によるレーザパワー設定処理の例について説明する。まず、上記実施１乃至７のいずれかに記載されたＢＣＡの情報を確認する（ステップ１１−１）。ハイブリッドディスクと認識し、光ディスク１００の持つ媒体を読み取る（ステップ１１−２）。最適なレーザパワーが最も小さい媒体用のレーザパワーに設定する（ステップ１１−３）。
【０１０２】
もし、ＢＣＡのディスク情報を読んだだけでは、最も小さいレーザパワーが分からない場合、ＰＩＣのディスク情報を読んだ後に設定する。
【０１０３】
そして、調整が終了し、記録または再生が可能な状態となると、光ディスク装置は、ホストからのコマンドに応じて、情報の記録または再生を行う（ステップ１１−４）。
【０１０４】
これにより、全記録層の記録データを消失したり、書き換えたりする危険を低減することができる。
【０１０５】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【０１０６】
また、上記の実施例では、複数の媒体種類を１枚の光ディスクの中に持つことを前提にしていたが、同じ、１つの媒体種類の光ディスクについても本発明を用いることで、より情報が増し、使いやすくなる。
【０１０７】
また、上記の各構成は、それらの一部又は全部が、ハードウェアで構成されても、プロセッサでプログラムが実行されることにより実現されるように構成されてもよい。また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１０８】
１００…光ディスク、１００´…光ディスク、１００´´…光ディスク、１００´´´…光ディスク、１０１…スピンドルモータ、１１０…光ピックアップ、１１１…レーザ光源、１１２…アクチュエータ、１１３…対物レンズ、１１４…光検出器、１２０…システム制御手段、１２１…スピンドルモータ駆動手段、１２２…信号生成手段、１２３…アクチュエータ駆動手段、１２４…レーザ駆動手段
【図１】
2011070709.tif 000003
【図２】
2011070709.tif 000004
【図３】
2011070709.tif 000005
【図４】
2011070709.tif 000006
【図５】
2011070709.tif 000007
【図６】
2011070709.tif 000008
【図７】
2011070709.tif 000009
【図８】
2011070709.tif 000010
【図９】
2011070709.tif 000011
【図１０】
2011070709.tif 000012
【図１１】
2011070709.tif 000013
【図１２】
2011070709.tif 000014
【図１３】
2011070709.tif 000015
【図１４】
2011070709.tif 000016